(57)【特許請求の範囲】
【請求項１】
第１操作部と装着部品係合部と第２操作部とを一体の部品として有し、
前記第１操作部は、第１方向への移動操作を受けて、該第１方向と交差する第２方向への前記第２操作部の移動を許可し、
前記第２操作部は、前記第２方向への移動操作を受けて前記第２方向へ移動し、
前記装着部品係合部は、前記第２操作部に連結され、前記第２操作部の前記第２方向への移動に伴い前記第２方向に移動することにより装着部品との係合を解除し、
前記第１操作部は、前記装着部品が装着される部材の一部と係合する部材係合部を有し、
前記装着部品が装着される部材の一部は突起部を含み、前記部材係合部は前記第２方向での異なる位置において前記突起部に各々係合する２つの凹部を含む
固定用部品。
【請求項２】
請求項１記載の固定用部品であって、
前記装着部品係合部は、前記第１方向とは反対の方向に突出して前記装着部品の一部に係合する係合部を含む固定用部品。
【請求項３】
請求項１又は２記載の固定用部品と、
前記装着部品が装着される部材であり、前記固定用部品を前記第２方向へ移動可能に支持する筐体と
を有する電子機器。
【発明の詳細な説明】
【技術分野】
【０００１】
実施形態は電子機器の筐体に部品を取り外し可能に固定するための固定用部品に関する。
【背景技術】
【０００２】
電子機器には、筐体に対して取り外し可能に取り付けられる部品を有するものがある。例えば、バッテリ駆動の携帯型電子機器には、電池パックが取り外し可能に筐体に取り付けられる構造が適用されることが多い。このような電池パックを筐体に取り付けて固定するために、筐体は固定用部品を使った固定構造を有する。
【０００３】
携帯型電子機器は、その持ち運びのときなどに様々な外力を受ける。そのため、電池パックの固定構造は、外力により電池パックが簡単に外れてしまわないような構造とすることが好ましい。そこで、電池パックの固定構造は、例えば、第１方向（以下、Ｘ方向ともいう）にスライドして電池パックに係合するロック部品と、Ｘ方向に垂直な第２方向（以下、Ｙ方向ともいう）にスライドしてロック部品のスライドを可能及び不能にするレバー部品とを設けた固定構造が採用される。
【０００４】
すなわち、ロック部品が電池パックに係合して電池パックが固定された状態において、レバー部品がロック部品を移動不能な状態（スライドできない状態）とする。レバー部品は、ロック部品を移動不能の状態にする位置に付勢される。ロック部品は、レバー部品が付勢力に抗して移動してロック部品の移動を許可する状態（移動可能な状態）にならないと移動されない。したがって、レバー部品が操作されるような外力と、ロック部品が操作されるような外力とが同時に作用しない限り、電池パックの固定は解除されない。
【０００５】
上述の電池パックの固定構造は、上述のように機能するために、ロック部品とレバー部品の２つの部品を使用しており、その分、部品コストがかかる。また、電池パックを取り外す際には、ユーザは、レバー部品を一方の手で操作し、ロック部品を他方の手で操作するというように、両手を使わなければならず、面倒な操作であった。
【０００６】
固定構造の先行技術として、スライド可能に保持された蓋部にロック用爪が弾性支持され、ロック用爪が筐体側の突起と係合してロック機能を果たす固定構造が知られている（例えば、特許文献１参照。）。また、筐体の孔からピンを差し入れてピンにより蓋部のロック解除部を押すことにより蓋部のロックが解除され、蓋部を移動することができるようになる固定構造が知られている（例えば、特許文献２参照。）。
【先行技術文献】
【特許文献】
【０００７】
【特許文献１】特開２０００−２２３４７号公報
【特許文献２】特開２００１−６８０８２号公報
【発明の概要】
【発明が解決しようとする課題】
【０００８】
上述の先行技術の固定構造において、固定された蓋部のロックを解除する操作は、ボタン等を押圧する操作であり、蓋部を移動する方向が含まれる面（ＸＹ面）に対し垂直な方向（Ｚ方向）となる。ところが、上述のロック部品とレバー部品とを有する固定構造は、ロック部品が移動する方向を含む面とレバー部品が移動する方向を含む面が同一面（ＸＹ面）である。したがって、上述のロック部品とレバー部品とを有する固定構造は、上述の先行技術の固定構造をそのまま採用し得ない。
【０００９】
そこで、従来のロック部品とレバー部品とを含む固定構造の機能を維持しつつ、部品点数を減らして製造コストを低減できる固定用部品の開発が望まれている。
【課題を解決するための手段】
【００１０】
一実施形態によれば、第１操作部と装着部品係合部と第２操作部とを一体の部品として有し、前記第１操作部は、第１方向への移動操作を受けて、該第１方向と交差する第２方向への前記第２操作部の移動を許可し、前記第２操作部は、前記第２方向への移動操作を受けて前記第２方向へ移動し、前記装着部品係合部は、前記第２操作部に連結され、前記第２操作部の前記第２方向への移動に伴い前記第２方向に移動することにより装着部品との係合を解除し、前記第１操作部は、前記装着部品が装着される部材の一部と係合する部材係合部を有し、前記装着部品が装着される部材の一部は突起部を含み、前記部材係合部は前記第２方向での異なる位置において前記突起部に各々係合する２つの凹部を含む固定用部品が提供される。
【発明の効果】
【００１１】
固定用部品が第１操作部と第２操作部とを含むため、装着部品を固定するための部品が一つとなり、部品点数及び組み立て工数を低減することができる。
【図面の簡単な説明】
【００１２】
【図１】一実施形態によるノートパソコンの斜視図である。
【図２】ノートパソコンの底面の平面図である。
【図３】電池パックを取り外した状態のノートパソコンの底面を示す平面図である。
【図４】筐体の斜視図であり、固定用部品と電池パック２０が取り外された状態が示されている。
【図５】図４に示す固定用部品の拡大図斜視図である。
【図６】図５に示す固定用部品の上下を逆にした状態の斜視図である。
【図７】図６に示す固定用部品の第１の端部の拡大斜視図である。
【図８】固定用部品をレバーとスライドノブの側から見た平面図である。
【図９】電池パックが固定された状態の筐体の底面の一部を示す図である。
【図１０】図９のＸ−Ｘ線に沿った断面図である。
【図１１】固定用部品の第１の端部付近の図１０におけるＸＩ−ＸＩ線に沿った断面図である。
【図１２】図１１のＸＩＩ−ＸＩＩ線に沿った断面図である。
【図１３】固定用部品の第２操作部付近の図１０におけるＸＩ−ＸＩ線に沿った断面図である。
【図１４】図１３におけるＸＩＶ−ＸＩＶ線に沿った断面図である。
【図１５】電池パック固定用レバーを引き下げた状態の筐体の底面の一部を示す図である。
【図１６】図１５のＸＶＩ−ＸＶＩ線に沿った断面図である。
【図１７】固定用部品の第１の端部付近の図１６におけるＸＶＩＩ−ＸＶＩＩ線に沿った断面図である。
【図１８】電池パックの固定が解除された状態の筐体の底面の一部を示す図である。
【図１９】図１８のＸＩＸ−ＸＩＸ線に沿った断面図である。
【図２０】固定用部品の第１の端部付近の図１９におけるＸＸ−ＸＸ線に沿った断面図である。
【図２１】図２０におけるＸＸＩ−ＸＸＩ線に沿った断面図である。
【図２２】固定用部品の第２操作部付近の図１９におけるＸＸ−ＸＸ線に沿った断面図である。
【図２３】図２２におけるＸＸＩＩＩ−ＸＸＩＩＩ線に沿った断面図である。
【発明を実施するための形態】
【００１３】
図１は一実施形態による電池パック固定用部品が組み込まれた筐体を有する携帯型パーソナルコンピュータ（ノートパソコン）の斜視図である。図２は図１に示すノートパソコンの底面を示す平面図である。
【００１４】
ノートパソコン１０は、筐体１２を含む本体部１４と、本体部１４の一辺側に回動可能に取り付けられた表示パネル部１６とを有する。筐体１２は通常プラスチック部品であり、内部に回路基板、記憶装置、入出力装置などの部品が組み込まれている。ノートパソコン１０は携帯型電子機器であり、ユーザが持ち運びしやすいように小型で軽量となるように設計されている。
【００１５】
ノートパソコン１０は、内部電源として電池を有し、電池からの電力で動作する。電池は、交換可能なように、電池パック２０としてノートパソコン１０の筐体１２に組み込まれる。図２に示すように、電池パック２０の外面２０ａはノートパソコン１０の筐体１２の底面１２ａの一部を形成している。なお、ノートパソコン１０は、電池だけではなく、外部電源によって動作可能であってもよい。
【００１６】
本実施形態は上述の電池パック２０を筐体１２に組み込んで固定するための固定用部品に係わるものである。本実施形態では電子機器の一例としてノートパソコンについて説明するが、ノートパソコンに限らず様々な電子機器にこの固定用部品を適用することができる。特に、持ち運びの際に様々な外力が作用するような携帯型電子機器にこの固定用部品を適用することで大きな効果を得ることができる。また、筐体に組み込まれて固定される部品は電池パックに限られず、例えば、ハードディスク装置やメモリ装置などの他の部品であってもよい。また、これらの部品を開口部から筐体内に収容してから筐体の開口部を閉鎖するためのカバーあるいは蓋もその部品とみなしてもよい。
【００１７】
電池パック２０は、装着部品として筐体１２に装着されて固定されているが、筐体１２から取り外し可能である。ユーザが電池パック２０を取り外すときは、まず、レバー３２を引き下げ（図２において電池パック１０から遠ざかるＹ方向に移動し）、スライドノブ３４の移動を可能にする。すなわち、レバー３２は、電池パック２０に向かう方向に付勢されており、通常はスライドノブ３４の移動を防止する位置にある。スライドノブ３４が移動可能となるには、レバー３２を引き下げる必要がある。
【００１８】
ユーザは、レバー３２を引き下げてスライドノブの固定が解除された状態で、スライドノブ３４を移動する（図２においてレバー３２の向きであるＸ方向に移動する）。それにより、電池パック２０は、その固定が解除され、筐体１２から取り外し可能となる。本実施形態では、レバー３２とスライドノブ３４とが一体の一つの部品（固定用部品３０：図４参照）として形成される。これにより、レバー３２を含む部品（すなわち、スライドノブ３４の移動を可能及び不能とするための部品）と、スライドノブ３４を含む部品（すなわち、電池パック２０に係合して固定するための部品）とを別々の部品として筐体１２に組み込む必要がなくなる。また、これにより部品点数が削減され、組み立て工数が削減される。
【００１９】
レバー３２とスライドノブ３４とを一体にした一つの固定用部品３０のため、スライドノブ３４が移動されると、レバー３２も同じ方向に移動する。したがって、レバー３２が突出するように筐体１２に設けられたレバー用開口１２ｆは、レバー３２が横方向（Ｘ方向）にも移動できるような大きさに形成されている。このような構成によれば、レバー３２が引き下げながら横方向に移動されることで、レバー３２とスライドノブ３４とが一体となった固定用部品３０は横方向に移動される。すなわち、レバー３２が引き下げてから横方向に移動することで、スライドノブ３４が移動し、電池パック２０の固定が解除される。したがって、レバー３２を引き下げてスライドノブ３４の固定を解除してからスライドノブ３４を移動して電池パック２０の固定を解除するという２つの動作を、ユーザは、レバー３２を片手で操作するだけで達成することができる。ただし、片手だけによるレバー３２の操作がやり難い場合、ユーザは、一方の手でレバー３２を引き下げ、他方の手でスライドノブ３４を移動するというように両手で操作して、電池パック２０の固定を解除してもよい。
【００２０】
次に、固定用部品３０の形状について詳細に説明する。
【００２１】
図３は電池パック２０を取り外した状態のノートパソコン１０の底面を示す平面図である。図４は筐体１２の斜視図であり、固定用部品３０と電池パック２０が取り外された状態が示されている。
【００２２】
まず装着部品としての電池パック２０について説明する。電池パック２０は図４に示すように細長い直方体のケースの中に電池（セル）が収容されたものである。図４には、電池パック２０がその表側（図２に示された外面２０ａ）を下にして示されている。
【００２３】
電池パック２０は、その裏側（図４における上側）に電極２２を備える。電池パック２０が筐体１２の電池収容部１２ｂに収容されると、電池パック２０の電極２２は、筐体１２の電池収容部１２ｂの奥に配置された機器側の電極１２ｃに接続される。これにより、電池パック２０の電池からノートパソコン１０に電力が供給される。
【００２４】
図４に示すように、電池パック２０の側面には、固定用部品３０と係合することで電池パック２０を固定するための爪部２４が突出して形成されている。電池パック２０の一部である爪部２４は、電池パック２０が電池収容部１２ｂ内に収容されると、電池収容部１２ｂの内壁に形成されたスリット状の開口１２ｄ内に突出した状態となる。後述のように、スリット状の開口１２ｄには固定用部品３０のロックレバー３６の係合部が移動可能に配置されている。固定用部品３０が移動されることで、ロックレバー３６の係合部は、開口１２ｄ内にて電池パック２０の爪部２４に係合し、これにより電池パック２０が固定される。電池パック２０の固定動作及び固定状態について後述する。
【００２５】
ここで、固定用部品３０の形状について説明する。図５は図４に示す固定用部品３０の拡大図斜視図である。図６は図５に示す固定用部品３０を上下逆にした状態の斜視図である。
【００２６】
上述のように、固定用部品３０は、レバー３２とスライドノブ３４とを一体にして形成した部品である。レバー３２はユーザが操作する第１操作部３３に含まれ、スライドノブ３４はユーザが操作する第２操作部に含まれる。レバー３２を含む第１操作部３３と、スライドノブ３４を含む第２操作部３５とは、装着部品係合部の一例であるロックレバー３６により繋がっている。ロックレバー３６には、図６に示すように、複数の係合部３７が設けられている。係合部３７は、固定用部品３０が筐体１２に組み込まれた際に、上述のようにスリット状の開口１２ｄの中に位置するよう固定用部品３０に設けられる。
【００２７】
固定用部品３０の第１操作部３３には、レバー３２が形成された係合プレート３８が形成されている。図７は図６に示す第１操作部３３の拡大斜視図である。図８は固定用部品３０の平面図である。第１操作部３３に設けられた係合プレート３８は、弾性接続部３９によりロックレバー３６に接続される。弾性接続部３９はコの字状の薄い板部材であり、容易に弾性変形する。
【００２８】
すなわち、係合プレート３８に形成されたレバー３２にロックレバー３６から遠ざかる方向に力を加えると、弾性接続部３９が弾性変形することで係合プレート３８はロックレバー３６から遠ざかる方向に移動する。なお、ロックレバー３６から遠ざかる方向は、図２におけるロックレバー３２を引き下げる方向に相当する。レバー３２に加える力を無くすと、弾性接続部３９の変形が戻ることで、レバー３２を含む係合プレート３８は元の位置に戻る。このように、ユーザは、レバー３２に操作力を加えることで、係合プレート３８を僅かに移動することができ、操作力を無くすことで係合プレート３８を元の位置に戻すことができる。
【００２９】
図７に示すように、係合プレート３８には、２つの係合凹部３８ａ，３８ｂが形成されている。係合凹部３８ａ，３８ｂは、筐体１２に形成された係合突起部１２ｅ（図４参照）に係合する形状である。２つの係合凹部３８ａ，３８ｂのどちらかが係合突起部１２ｅに係合することで、係合プレート３８を含む固定用部品３０はその位置に固定される。特に、係合凹部３８ａが筐体１２の係合突起部１２ｅに係合しているときは、ユーザは、スライドノブ３４を操作して固定用部品３０を移動しようとしても、係合凹部３８ａと係合突起部１２ｅとの係合を解除することができず、固定用部品３０を移動することはできない。後述のように固定用部品３０がこの位置において、電池パック２０は筐体１２に固定された状態となる。
【００３０】
固定用部品３０の第２操作部３５には、スライドノブ３４が形成されている。スライドノブ３４とロックレバー３６が繋がる部分は、その接続部の強度を確保するためにスライドノブ３４の幅とほぼ同じ幅に形成されている。
【００３１】
以上のような構成の固定用部品３０は、筐体１２の電池収容部１２ｂの外壁に沿って移動可能に筐体１２に配置される。固定用部品３０が筐体１２の電池収容部１２ｂの外壁に沿って移動可能に配置された状態では、固定用部品３０のレバー３２は筐体１２のレバー用開口１２ｆ内で筐体１２の底面１２ａ側に突出する。また、スライドノブ３４は、筐体１２の底面側に露出して、使用者により操作可能な状態になる。さらに、固定用部品３０の係合部３７は、筐体１２の電池収容部１２ｂのスリット状の開口３７内に配置される。また、固定用部品３０の係合プレート３８に形成された係合凹部３８ａは、筐体１２に形成された係合突起部１２ｅに係合した状態となる。
【００３２】
次に、固定用部品３０による電池パック２０の固定動作について説明する。
【００３３】
まず、筐体１２の電池収容部１２ｂに収容された電池パック２０が固定用部品３０によって筐体１２に固定された状態について説明する。図９は電池パック２０が固定された状態の筐体１２の底面の一部を示す図である。図１０は図９のＸ−Ｘ線に沿った断面図である。図１１は固定用部品３０の第１操作部３３付近の図１０におけるＸＩ−ＸＩ線に沿った断面図である。図１２は図１１のＸＩＩ−ＸＩＩ線に沿った断面図である。
【００３４】
電池パック２０が筐体１２に固定された状態では、図９に示すように、スライドノブ３４はＸ方向の右側に移動した位置にある。また、レバー３２は、図９及び図１０に示すようにレバー用開口１２ｆ内でＹ方向の上側（電池パック２０の側）に位置している。このとき、図１１に示すように、固定用部品３０の係合プレート３８の係合凹部３８ａが筐体１２の係合突起部１２ｅに係合している。図１１に示すように、係合突起部１２ｅの左側面（外面）は固定用部品３０の移動方向（Ｘ方向）に対して垂直な面となっており、且つ係合凹部３８ａの左側の内面も固定用部品３０の移動方向（Ｘ方向）に対して垂直な面となっている。したがって、係合凹部３８ａの左側の内面と係合突起部１２ｅの左側の外面とが当接するため、固定用部品３０は左側に移動することはできず、その位置（電池ロック位置）で固定される。
【００３５】
このように、固定用部品３０が電池ロック位置で固定されているときは、図１２に示すように、スリット状の開口１２ｄの中で電池パック２０の爪部２４の上にロックレバー３６の係合部３７が乗り上げた状態となる。したがって、電池パック２０の爪部２４が固定用部品３０の係合部３７により押圧され、電池パック２０は筐体１２に対して固定された状態となる。
【００３６】
図１３は固定用部品３０の第２操作部３５付近の図１０におけるＸＩ−ＸＩ線に沿った断面図である。図１４は図１３におけるＸＩＶ−ＸＩＶ線に沿った断面図である。上述のように固定用部品３０が電池ロック位置で固定されているときは、図１３及び図１４に示すように、固定用部品３０の第２操作部３５に形成されたスライドノブ３４は移動範囲の左側に寄った位置にある。そして、第２操作部３５側でも、スリット状の開口１２ｄの中で電池パック２０の爪部２４の上にロックレバー３６の係合部３７が乗り上げた状態となる。したがって、電池パック２０の爪部２４が固定用部品３０の係合部３７により押圧され、電池パック２０は筐体１２に対して固定された状態となる。
【００３７】
上述のように固定された電池パック２０を筐体１２から取り外す際には、ユーザは、まず、レバー３２を電池パック２０から遠ざかる方向（Ｙ方向）に引き下げてスライドノブ３４の固定を解除する。図１５はレバー３２を引き下げた状態の筐体１２の底面の一部を示す図である。図１６は図１５のＸＶＩ−ＸＶＩ線に沿った断面図である。図１７は固定用部品３０の第１操作部３３付近の図１６におけるＸＶＩＩ−ＸＶＩＩ線に沿った断面図である。
【００３８】
電池パック２０を筐体１２から取り外す際には、図１５に示すように、ユーザは、レバー用開口１２ｆ内でレバー３２をＹ方向に移動する。これにより、図１７に示すように、係合プレート３８を支持している弾性接続部３９が弾性変形しながらレバー３２はレバー用開口１２ｆ内を移動して反対側に位置するようになる。係合プレート３８はレバー３２と共に電池パック２０から遠ざかる方向（Ｙ方向）に移動するので、係合プレート３８の係合凹部３８ａは、図１７に示すように係合突起部１２ｅから外れた状態に移動する。これにより、ロックレバー３６を含む固定用部品３０全体の固定が解除され、固定用部品３０は電池パック２０の長手方向に平行な方向（Ｙ方向に垂直なＸ方向）に移動可能となる。
【００３９】
上述のようにレバー３２を引き下げた状態では固定用部品３０はＸ方向に移動可能となるが、未だＸ方向に移動していない。したがって、固定用部品３０の係合部３７は、図１２及び図１４に示すように電池パックの爪部２４に乗り上げたままであり、電池パック２０の固定は解除されていない。
【００４０】
レバー３２を引き下げて固定用部品３０（スライドノブ３４）を移動可能にしたら、ユーザは、スライドノブ３４をＸ方向に移動して電池パック２０の固定を解除する。図１８は電池パック２０の固定を解除した状態の筐体１２の底面の一部を示す図である。図１９は図１８のＸＩＸ−ＸＩＸ線に沿った断面図である。図２０は固定用部品３０の第１操作部３３付近の図１９におけるＸＸ−ＸＸ線に沿った断面図である。図２１は図２０のＸＸＩ−ＸＸＩ線に沿った断面図である。図２２は固定用部品３０の第２操作部３５付近の図１９におけるＸＸ−ＸＸ線に沿った断面図である。図２３は図２２におけるＸＸＩＩＩ−ＸＸＩＩＩ線に沿った断面図である。
【００４１】
レバー３２が引き下げられた状態（Ｙ方向に移動した状態）で、ユーザが図１８に示すようにスライドノブ３４をＸ方向に移動させると、ロックレバー３６及び第１操作部３３を含む固定用部品３０全体がＸ方向に移動する。したがって、第１操作部３３におけるレバー３２と係合プレート３８もＸ方向に移動し、係合凹部３８ｂが筐体１２の係合突起部１２ｅに係合した状態となる。これにより固定用部品３０はその位置に固定される。
【００４２】
固定用部品３０がＸ方向に移動すると、ロックレバー３６に設けられている係合部３７も開口１２ｄ内でＸ方向に移動し、図２０乃至及び図２３に示すように、電池パック２０の爪部２４から外れた位置になる。この状態が電池パック２０の固定が解除された状態である。すなわち、電池パック２０の爪部２４の上から外れた位置に係合部３７が移動したため、爪部２４が上方に移動可能となり、ユーザは、電池パック２０全体を持ち上げて筐体１２の電池収容部１２ｂから取り外すことができる。
【００４３】
以上の操作で、ユーザは、筐体１２に固定されていた電池パック２０の固定を解除して電池パック２０を筐体１２から取り外すことができる。電池パック２０を筐体１２に固定するときは、ユーザは、電池パック２０を電池収容部１２ｂに収容してからスライドノブ３４を押して図９に示す位置に移動させればよい。
【００４４】
固定用部品３０が電池パック２０の固定を解除しているときは、図２０に示すように係合凹部３８ｂが係合突起部１２ｅに係合している。ここで、係合凹部３８ｂのＸ方向端部は傾斜面となっており、係合突起部１２ｅのＸ方向端部も傾斜面となっている。したがって、係合プレート３８がＸ方向とは反対の方向に移動しようとすると、係合プレート３８は傾斜面に沿ってＹ方向に移動し、係合突起部１２ｅと係合凹部３８ｂの係合が外れることとなる。したがって、ユーザは、そのままスライドノブ３４を移動させるだけで、スライドノブ３４（固定用部品３０）を電池パック２０の固定位置（図９に示す位置）に移動することができる。
【００４５】
以上のように、本実施形態では、レバー３２及び係合プレート３８を含む第１操作部３３とスライドノブ３４を含む第２操作部と係合部３７を含むロックレバー３６とが一体の一つの部品（固定用部品３０）として形成される。これにより、レバー３２及び係合プレート３８を含む部品（すなわち、スライドノブ３４を含む固定用部品３０の移動を可能及び不能とするための部品）と、スライドノブ３４及びロックレバー３６を含む部品（すなわち、電池パック２０に係合して固定するための部品）とを別々の部品として筐体１２に組み込む必要がない。これにより、部品点数が削減され、組み立て工数が削減される。
【００４６】
本明細書は以下の事項を開示する。
（付記１）
電子機器の筐体に装着部品を固定する固定用部品であって、
第１方向への移動操作を受けて、該第１方向と交差する第２方向への移動を許可する第１操作部と、
前記第１操作部に連結され、前記第１操作部の前記第２方向への移動により装着部品との係合を解除する装着部品係合部と、
前記装着部品係合部に連結され、前記第２方向への移動操作を受ける第２操作部と
を有する固定用部品。
（付記２）
付記１記載の固定用部品であって、
前記第１操作部は、前記装着部品が装着される部材の一部と係合する部材係合部を有する固定用部品。
（付記３）
付記２記載の固定用部品であって、
前記装着部品が装着される部材の一部は突起部を含み、前記部材係合部は前記第２方向での異なる位置において前記突起部に各々係合する２つの凹部を含む固定用部品。
（付記４）
付記３記載の固定用部品であって、
前記２つの凹部の各々は、前記第２方向に垂直な方向に延在する第１側面と、前記第２の方向に対して傾斜した第２側面とを含む固定用部品。
（付記５）
付記２乃至４のうちいずれか一項記載の固定用部品であって、
前記第１の操作部は、前記部材係合部を前記第１方向に移動可能に支持する弾性接続部を含む固定用部品。
（付記６）
付記１乃至５のうちいずれか一項記載の固定用部品であって、
前記装着部品係合部は、前記第１方向に突出して前記装着部品の一部に係合する係合部を含む固定用部品。
（付記７）
付記１乃至６のうちいずれか一項記載の固定用部品と、
前記固定用部品を前記第２方向へ移動可能に支持する筐体と
を有する電子機器。
（付記８）
付記７記載の電子機器であって、
前記筐体は前記装着部品を収容する部品収容部を有し、前記固定用部品は前記部品収容部に沿って延在する電子機器。
（付記９）
前記固定用部品の前記第１操作部は前記筐体から露出して前記第１方向への移動操作を受ける部位を含み、前記前記固定用部品の前記第２操作部は前記筐体から露出して前記第２方向への移動操作を受ける部位を含む電子機器。
【符号の説明】
【００４７】
１０  ノートパソコン
１２  筐体
１２ａ  底面
１２ｂ  電池収容部
１２ｃ  電極
１２ｄ  開口
１２ｅ  係合突起部
１２ｆ  レバー用開口
１４  本体
１６  表示パネル部
２０  電池パック
２０ａ  外面
２２  電極
２４  爪部
３０  固定用部品
３２  レバー
３３  第１の端部
３４  スライドノブ
３５  第２操作部
３６  ロックレバー
３７  係合部
３８  係合プレート
３８ａ，３８ｂ  係合凹部
３９  弾性接続部
【図１】
0005696475.tif 000002
【図２】
0005696475.tif 000003
【図３】
0005696475.tif 000004
【図４】
0005696475.tif 000005
【図５】
0005696475.tif 000006
【図６】
0005696475.tif 000007
【図７】
0005696475.tif 000008
【図８】
0005696475.tif 000009
【図９】
0005696475.tif 000010
【図１０】
0005696475.tif 000011
【図１１】
0005696475.tif 000012
【図１２】
0005696475.tif 000013
【図１３】
0005696475.tif 000014
【図１４】
0005696475.tif 000015
【図１５】
0005696475.tif 000016
【図１６】
0005696475.tif 000017
【図１７】
0005696475.tif 000018
【図１８】
0005696475.tif 000019
【図１９】
0005696475.tif 000020
【図２０】
0005696475.tif 000021
【図２１】
0005696475.tif 000022
【図２２】
0005696475.tif 000023
【図２３】
0005696475.tif 000024